(57)【要約】【課題】液晶表示パネルの温度上昇を抑えて、良好な視認性が得られる表示装置を提供する。【解決手段】透視板１０（透視部）を有するケースと、このケース内に収納され透視板１０を透して視認可能に配置された液晶表示パネル１と、この液晶表示パネル１が支持されるホルダー３と、液晶表示パネル１の背後に配置され液晶表示パネル１と電気的に接続された回路基板４と、液晶表示パネル１の周縁を抑える縁部５とケース外に露出する露出部２３とを有する金属製のパネル抑え６とを備える。【選択図】図２
2006071710.tif 000002
【特許請求の範囲】
【請求項１】
透視部を有するケースと、このケース内に収納され前記透視部を透して視認可能に配置された液晶表示パネルと、この液晶表示パネルが支持されるホルダーと、前記液晶表示パネルの背後に配置され前記液晶表示パネルと電気的に接続された回路基板と、前記液晶表示パネルの周縁を抑える縁部と前記ケース外に露出する露出部とを有する金属製のパネル抑えとを備えたことを特徴とする表示装置。
【請求項２】
前記縁部と前記液晶表示パネルとの間に弾性を有する伝熱シートを設けたことを特徴とする請求項１に記載の表示装置。
【請求項３】
前記パネル抑えが覆い部材で覆われていることを特徴とする請求項１または請求項２に記載の表示装置。
【請求項４】
前記パネル抑えが前記ホルダーの周りを囲っていることを特徴とする請求項１から請求項３のいずれかに記載の表示装置。
【請求項５】
前記回路基板に銅箔部を設け、この銅箔部に前記パネル抑えを接触させたことを特徴とする請求項１から請求項４のいずれかに記載の表示装置。
【請求項６】
前記回路基板の一部を前記ケース外に露出させたことを特徴とする請求項５に記載の表示装置。
【発明の詳細な説明】
【技術分野】
【０００１】
本発明は、液晶表示パネルを用いた表示装置に関し、特に液晶表示パネルの温度上昇を抑えた表示装置に関するものである。
【背景技術】
【０００２】
液晶表示パネルを用いた表示装置は従来から知られており、例えば下記特許文献１がある。特許文献１に記載の表示装置は、導光体２の後面に回路基板８を固定すると共に、導光体２の前面に液晶表示素子４（液晶表示パネル）を載置し、その前方から表面板１５と一体となった樹脂製のホルダ３を導光体２に固定した後、照明灯１２と共にケース１１内に収納し、ケース１１の前面開口側を透明な前面カバー１６で被ったものである。
【特許文献１】実開昭６１−９６３１５号公報
【０００３】
しかし、上述した様な表示装置が直射日光を受けた場合、前面カバー１６を透して液晶表示素子４が直射されて液晶表示素子４の温度が上昇してしまう。また、照明灯１２や電子部品７からの発熱によっても液晶表示素子４の温度が上昇しやすい。液晶表示素子４の温度が高温であると液晶表示素子４が黒ずんできて、表示部が見にくくなってしまうことがある。
【０００４】
この様な点を改善する方法として、例えば下記特許文献２の表示装置に記載されている様に、液晶表示素子３３（液晶表示パネル），光源３５，配線基板３７などから構成される液晶表示器３２が収納されるハウジング３０（ケース）の一部に放熱部材としてのヒートシンク３８を設け、光源３５から発せられる熱をヒートシンク３８を介してハウジング３０外に放散させるということが考えられる。
【特許文献２】特開２００３−１０４０８６号公報（図２参照）
【発明の開示】
【発明が解決しようとする課題】
【０００５】
しかしながら、上記特許文献２の表示装置は、光源から発せられる熱などを外部に放散することによってハウジング３０内の温度を下げるという効果はあるものの、上記特許文献１の様に液晶表示素子が直射日光を受けた場合、最も温度の上昇しやすい液晶表示素子の温度を下げるには十分ではない。
【０００６】
本発明はこの様な点に鑑みなされたもので、液晶表示パネルの温度上昇を抑えて、良好な視認性が得られる表示装置を提供することを目的とする。
【課題を解決するための手段】
【０００７】
本発明は前記目的を達成するため、透視部を有するケースと、このケース内に収納され前記透視部を透して視認可能に配置された液晶表示パネルと、この液晶表示パネルが支持されるホルダーと、前記液晶表示パネルの背後に配置され前記液晶表示パネルと電気的に接続された回路基板と、前記液晶表示パネルの周縁を抑える縁部と前記ケース外に露出する露出部とを有する金属製のパネル抑えとを備えたものである。
【０００８】
また、前記縁部と前記液晶表示パネルとの間に弾性を有する伝熱シートを設けたものである。
【０００９】
また、前記パネル抑えが覆い部材で覆われているものである。
【００１０】
また、前記パネル抑えが前記ホルダーの周りを囲っているものである。
【００１１】
また、前記回路基板に銅箔部を設け、この銅箔部に前記パネル抑えを接触させたものである。
【００１２】
また、前記回路基板の一部を前記ケース外に露出させたものである。
【発明の効果】
【００１３】
液晶表示パネルの温度上昇を抑えて、良好な視認性が得られる表示装置を得ることができる。
【発明を実施するための最良の形態】
【００１４】
本発明を、車両用の表示装置を実施形態として説明する。図１〜図３に本発明の第１実施形態を示す。図１は表示装置の正面図である。図２および図３は表示装置の断面図であり、それぞれ図１に於けるＡ−Ａ断面，Ｂ−Ｂ断面を示す。なお、本実施形態に於けるケースは、後述する中ケース，透視板，カバーとからなるものとする。
【００１５】
本実施形態に於ける表示装置は、２枚のガラス基板間に液晶分子を封入し、各々のガラス基板に例えばスモーク調の偏光膜を貼り合わせた矩形の液晶表示パネル１と、この液晶表示パネル１の裏面側に配置され光透過性を有する拡散板２と、液晶表示パネル１および拡散板２が支持されるホルダー３と、液晶表示パネル１の背後に配置され液晶表示パネル１と電気的に接続された硬質の回路基板４と、液晶表示パネル１の表面側周縁を抑える枠状の縁部５を有するパネル抑え６と、縁部５と液晶表示パネル１の周縁との間に介在され、弾性を有し熱伝導性も良いシリコーンゴムからなる伝熱シート７と、回路基板４上に実装され液晶表示パネル１を背後から照明する光源としての発光ダイオード８を備えている。これら各部品は液晶表示器としてユニット化されている。
【００１６】
また、表示装置には合成樹脂製の中ケース９と、この中ケース９の前面開口側を被う無色透明な合成樹脂からなる透視部としての透視板１０と、回路基板４の裏面側を被う合成樹脂製のカバー１１と、中ケース９の前面開口側と透視板１０との間に、液晶表示パネル１以外を覆う覆い部材としての黒色の合成樹脂からなる見返し板１２を備えている。すなわち、見返し板１２の開口部１３から液晶表示パネル１は視認可能だが、パネル抑え６は視認することができない。この様に、液晶表示器は透視板１０，中ケース９，カバー１１とからなるケース内に収納されている。
【００１７】
ホルダー３は白色の合成樹脂からなり、周壁１４と、液晶表示パネル１および拡散板２が載置される載置部１５と、この載置部１５から発光ダイオード８側に向かって延びる反射壁１６を有している。この反射壁１６は発光ダイオード８からの光を反射させて拡散板２側に導くものである。例えば白色で発光する発光ダイオード８が点灯すると、拡散板２を直射する光が多いが、反射壁１６に反射して拡散板２側に導かれる光もあり、これらの光が拡散板２で拡散されて、表示部（図示せず）を除いた液晶表示パネル１面をほぼ均一に照明するようになる。なお、満足する照明が得られるようであれば、反射壁１６や拡散板２は省略しても良い。
【００１８】
パネル抑え６は、例えばアルミニウムや鉄などの熱伝導性が良好な金属材料からなるが、本実施形態に於いては熱伝導性や重量などの点からアルミニウムとしてある。パネル抑え６は、ホルダー３から液晶表示パネル１や拡散板２が外れないように抑えておくものであり、縁部５と、ホルダー３の周壁１４を囲むように設けられた囲い部１７と、この囲い部１７の下端側（回路基板４側）から回路基板４に沿うように設けられた第１の折り曲げ部１８および第２の折り曲げ部１９と、囲い部１７の下端側に設けた複数の足部２０を有している。このパネル抑え６は、前述した様に見返し板１２によって覆われている。
【００１９】
液晶表示器は、例えば以下のようにして組み付けられる。ホルダー３の載置部１５に拡散板２と液晶表示パネル１を載せ、液晶表示パネル１の周縁に伝熱シート７を載せる。次にパネル抑え６を液晶表示パネル１側からホルダー３に被せて、パネル抑え６の足部２０を回路基板４に設けた孔（図示せず）に挿入して折り曲げる。この際、伝熱シート７は僅かに圧縮された状態となる。
【００２０】
なお、図示しないが液晶表示パネル１と回路基板４とは、金属製の端子やラバーコネクタあるいはフレキシブルプリント板などによって電気的に接続されている。また、パネル抑え６は回路基板４に折り曲げ固定しないで、ホルダー３の周壁１４に固着するようにしても良い。その場合、ホルダー３を回路基板４にビス止めするか、あるいはホルダー３の下端側に係止部を設けてホルダー３を回路基板４にフック止めするようにしても良い。
【００２１】
回路基板４には、前述した様に液晶表示パネル１を照明する発光ダイオード８の他に、図示しないが液晶表示パネル１に表示動作を行わせるマイクロコンピュータや駆動回路，電源回路などの制御手段が実装されている。また、図２に示す様に第１の折り曲げ部１８に対応した回路基板４箇所には基板穴２１が設けてある。また、この基板穴２１に対応したカバー１１にもカバー穴２２が設けてある。従って、この様な液晶表示器をケース内に組み込んだ際、基板穴２１およびカバー穴２２から第１の折り曲げ部１８が視認されるようになっている。この見える部分（カバー１１外に露出する部分）を露出部２３とする。
【００２２】
また、図３に示す様に第２の折り曲げ部１９に対応した回路基板４箇所には銅箔部２４が設けてあり、この銅箔部２４と第２の折り曲げ部１９とは接触させてある。また、回路基板４の一部には電子部品や回路などが設けられていない延長部２５が形成されており、この延長部２５は中ケース９とカバー１１との合わせ目より外部に引き出され露出している。延長部２５を外部に引き出したが、例えばカバー１１に穴や切り欠きを設けて回路基板４の一部が露出するようにしても良い。
【００２３】
なお、回路基板４とカバー１１にはそれぞれ基板穴２１およびカバー穴２２が設けられているが、回路基板４の基板穴２１は第１の折り曲げ部１８によって塞がれており、埃や水などが直に中ケース９の内部に入らないようになっている。また、回路基板４の裏面側にも埃や水などが直に掛からないようになっている。
【００２４】
この様に、液晶表示パネル１の周縁を抑える縁部５を有する金属製のパネル抑え６の一部に第１の折り曲げ部１８を設け、この第１の折り曲げ部１８にケース外に露出する露出部２３を設けたことにより、表示装置が直射日光を受けて液晶表示パネル１の温度が上昇しようとするが、液晶表示パネル１の熱が縁部５からパネル抑え６を伝ってその一部が露出部２３から外部に放散される。よって、液晶表示パネル１の温度上昇が抑えられ、視認性の良い表示装置が得られる。また、液晶表示パネル１の周縁を抑えるためのパネル抑え６に露出部２３を設けるようにしたため、前述した特許文献２に記載してあるような別部材（放熱部材）を用いる必要もない。
【００２５】
また、パネル抑え６の縁部５と液晶表示パネル１との間に弾性を有し熱伝導性も良い伝熱シート７を設けたことにより、ガラス基板（液晶表示パネル１）と金属（パネル抑え６）との密着性が高まり、液晶表示パネル１の熱が縁部５からパネル抑え６に伝わりやすくなる。よって、液晶表示パネル１の温度上昇を抑えることができる。また、金属製のパネル抑え６が見返し板１２によって覆われている（透視板１０を透して視認することができない）、すなわち直射日光を受けないようになっているため、直射光によるパネル抑え６の温度上昇が避けられ、液晶表示パネル１からパネル抑え６に熱が逃げやすくなる。
【００２６】
また、パネル抑え６にホルダー３の周壁１４を囲む囲い部１７を設けたことにより、液晶表示パネル１の熱を放射状に回路基板４側に逃がすことができる。すなわち、液晶表示パネル１の温度を早く下げる効果がある。また、回路基板４に銅箔部２４を設け、この銅箔部２４にパネル抑え６に設けた第２の折り曲げ部１９を接触させたことにより、液晶表示パネル１の熱を早く回路基板４に逃がすことができる。また、回路基板４に延長部２５を設け、この延長部２５をケース外に露出させたことにより、液晶表示パネル１およびケース内の熱が外部により逃げやすくなる。すなわち、液晶表示パネル１の温度上昇がより抑えられる。
【００２７】
図４は、本発明の第２実施形態を示す表示装置の断面図である。本実施形態に於いては、前記第１実施形態で用いた伝熱シートは使用しない。なお、本実施形態に於けるケースは、後述する下ケース２６と上ケース２７とからなるものとする。また、前記第１実施形態と同一もしくは相当箇所については同一符号を付し、その詳細説明は省略する。
【００２８】
パネル抑え６は、金属製で熱伝導性が良好なアルミニウムからなり、液晶表示パネル１の表面側周縁を直に抑える枠状の縁部５と、囲い部１７や第１の折り曲げ部１８などが設けてある。本実施形態に於ける第１の折り曲げ部１８は下ケース２６の底部２８に沿うように設けてある。
【００２９】
下ケース２６は合成樹脂からなり、パネル抑え６の第１の折り曲げ部１８に対応した底部２８箇所には下ケース穴２９が設けてある。従って、下ケース穴２９から第１の折り曲げ部１８が視認されるようになっており、この見える部分（下ケース２６外に露出する部分）を露出部２３とする。
【００３０】
上ケース２７は、下ケース２６の前面開口側を被うものであり、液晶表示パネル１に対応して配置され無色透明な合成樹脂からなる透視部としての透視板１０Ａと、この透視板１０Ａの周囲に一体的に形成された黒色の合成樹脂からなる覆い部材としての覆い部３０からなる。すなわち、透視板１０Ａを透して液晶表示パネル１は視認可能だが、覆い部３０によって覆われたパネル抑え６は視認することができない。この様に、液晶表示器は下ケース２６と上ケース２７とからなるケース内に収納されている。
【００３１】
この様に、金属製のパネル抑え６の一部に第１の折り曲げ部１８を設け、この第１の折り曲げ部１８に下ケース２６外に露出する露出部２３を設けたことにより、前記第１実施形態と同様に、液晶表示パネル１の熱が縁部５からパネル抑え６を伝ってその一部が露出部２３から外部に放散される。よって、液晶表示パネル１の温度上昇が抑えられ、視認性の良い表示装置が得られる。
【００３２】
また、パネル抑え６の縁部５が液晶表示パネル１の周縁を直に抑えるようにしたことにより、液晶表示パネル１の熱がパネル抑え６に伝わりやすくなる。また、パネル抑え６が上ケース２７の覆い部３０によって覆われている、すなわち直射日光を受けないようになっているため、直射光によるパネル抑え６の温度上昇が避けられ、液晶表示パネル１からパネル抑え６に熱が逃げやすくなる。
【００３３】
なお、前記各実施形態では、露出部２３を設けるために回路基板４，カバー１１，下ケース２６にそれぞれ穴を設けたが、例えば切り欠きであっても良い。要は、ケース外に露出する露出部２３が形成されるようになっていれば良い。また、パネル抑え６を覆い隠す覆い部材を前記第１実施形態では見返し板１２とし、前記第２実施形態では上ケース２７の覆い部３０としたが、パネル抑え６が直射日光を受けないような構造となっていれば、前記各実施形態に限定されるものではない。
【００３４】
また、回路基板４に設けた銅箔部２４は回路基板４の裏面側であっても良く、その場合、裏面側に設けた銅箔部にパネル抑え６の一部（例えば、前記各実施形態に於ける足部２０）を接触させるようにしても良い。また、前記各実施形態では、液晶表示器のみをケース内に収納した表示装置としたが、例えば指針式計器や車両の状態を表示する各種表示部（警告表示部など）をケース内に収納しても良い。その場合、指針式計器用の表示板を液晶表示器側に延設してパネル抑え６を覆う覆い部材としても良い。
【図面の簡単な説明】
【００３５】
【図１】本発明の第１実施形態を示す表示装置の正面図。
【図２】同表示装置の断面図（図１に於けるＡ−Ａ断面）。
【図３】同表示装置の断面図（図１に於けるＢ−Ｂ断面）。
【図４】本発明の第２実施形態を示す表示装置の断面図。
【符号の説明】
【００３６】
１  液晶表示パネル
３  ホルダー
４  回路基板
５  縁部
６  パネル抑え
７  伝熱シート
９  中ケース
１０，１０Ａ  透視板（透視部）
１１  カバー
１２  見返し板（覆い部材）
２３  露出部
２４  銅箔部
２５  延長部
２６  下ケース
２７  上ケース
３０  覆い部（覆い部材）
【図１】
2006071710.tif 000003
【図２】
2006071710.tif 000004
【図３】
2006071710.tif 000005
【図４】
2006071710.tif 000006